【事件の表示】
　平成１１年特許願第３３４３２４号「管理システムに用いる非接触ＩＣカード」拒絶査定不服審判事件〔平成１２年１１月　７日出願公開、特開２０００−３１１２２７〕について、次のとおり審決する。
【結　論】
　本件審判の請求は、成り立たない。
【理　由】
１．手続きの経緯  
　本願は、特許法第４１条に基づく優先権主張を伴う平成１１年１１月２５日（優先日、平成１１年２月２６日）の出願であって、平成１４年１０月３日付で手続補正がなされ、平成１７年４月１日付けで拒絶理由通知がなされ、同年６月１０日付で手続補正がなされ、同年１０月２７日付けで拒絶査定がなされ、これに対して、同年１２月８日に審判請求がなされるとともに、平成１８年１月３１日付けで手続補正がなされたが、当審において、平成２０年４月１７日付で前記平成１８年１月３１日付けの手続補正を却下するとともに拒絶理由通知がなされ、これに対して、同年６月１９日付で手続補正がなされたものである。
　
　
２．本願発明 
　本願の請求項１に係る発明（以下、「本願発明」という。）は、平成２０年６月１９日付けの手続補正書によって補正された特許請求の範囲の請求項１に記載された、次のとおりのものである。 
　
　「利用に関する情報を管理する管理システムに用いる非接触ＩＣカードにおいて、
　前記管理システムに備えられたカード処理装置と非接触で交信してデータの記憶および更新を行う通信記憶手段と、目視データの表示が可能な表示部と、をカード本体に備えると共に、該カード本体の少なくとも表面および裏面を判別可能にする方向判別用マーク部を備えて構成され、さらに、
　前記カード本体は、前記通信記憶手段に対する記憶データの読み取り処理及び書き込み処理の少なくとも一方と前記表示部に対する目視データの表示処理とを連続して行うことが可能なカード処理装置に対して、前記表示部への目視データの表示処理を正しく実行することが可能であって前記表示部の位置と前記カード処理装置の構造との相対的な関係によって決定される正規の状態で挿入された場合に、前記通信記憶手段の記憶データの読み取り処理及び書き込み処理の少なくとも一方が実行された後、当該記憶データに対応させて、前記表示部に表示されている目視データのうちの一部のみを可変データとして書き換える処理が実行されることを特徴とする非接触ＩＣカード。」
　
　
３．引用発明 
　当審による平成２０年４月１７日付けの拒絶理由に引用された刊行物である、特開平７−１２５４８３号公報（以下、「引用文献１」という。）には、図面とともに以下の事項が記載されている。
　
（あ）「【０００１】
　【産業上の利用分野】本発明は、基体内にＩＣモジュールを内蔵し、外部のデータ処理装置との情報交換を非接触で行う非接触型ＩＣカードに関する。」
　
（い）「【０００２】
　【従来の技術】近年、社会の高度情報化の進展は目覚ましく、カードは社会生活において不可欠のものとなっている。従来のストライプカードに比べて、マイクロコンピュータ、メモリ等のＩＣを装着、もしくは内蔵させたＩＣカードは、セキュリティが高くプライバシーが保護され、記憶容量が大きいという特徴があることから、様々な分野での利用が広まってきている。例えば、企業内では、社員証カードとして、社員食堂・売店利用、社内預金利用、複利厚生利用、入出退管理、出退勤管理、健康管理等の多目的に利用されており、また、金融、医療、販売・サービス、交通、製造、教育等の分野でも試験的な利用が広まっている。」
　
（う）「【０００５】他方、カードの利用日時や金額等がその都度書き込めるようになっているプリペイドカード等が汎用されている。このカードの利用日時や金額等がその都度書き込めるプリペイドカード等は、カードの使用者によって残高の確認とうが何時でも行い得るという利便性を有する。これらのカードでは、一部の情報が目視可能な場合も存在するが、多くの情報はカードに設けられた磁気記録層またはＩＣ等に記録されている。前記各種カードにおいて、磁気記録層中に記録された情報および使用の都度、新たに記録された情報の一部を目視可能にすることが望ましい場合がある。」
　
（え）「【０００８】
【発明が解決しようとする課題】前述のごとく、非接触型ＩＣカードはＩＣ回路と外部のデータ処理装置との情報交換を電磁誘導方式または電波・光方式により遠隔で行うことができ、しかもセキュリティが高くプライバシーが保護され、かつ記憶容量が大きい等、多くの利点があるが、従来の非接触型ＩＣカードはリライト機能を持っていない。
　【０００９】したがって、従来の非接触型ＩＣカードを使えば定期券や会員証カードとして使用した場合、有効期限が到来したときは使い捨てすることになる。これは非接触型ＩＣカードはコストが高いため、省資源の点で大きな問題である。また、従来の非接触型ＩＣカードを例えばプリペイドカードや回数券として使用した場合に、カード使用時に残額を逐次書換え表示できない問題があった
さらに従来の非接触型ＩＣカードでは、例えば預金通帳として使用した場合に、カード外部よりＩＣユニットへ信号を送ってＩＣ内部情報を書換える際、その内部情報の書換えと同時に目視できるように表示することができないという問題もあった。
　【００１０】本発明の目的は、非接触型ＩＣカードの持つ優れた特性をそのまま活かし、さらに書換え可能なリライト機能を、ＩＣユニットに記憶されている情報の書換えと同時に行えるように層設し、ＩＣユニットに記憶されている情報の表示機能と、安価で耐久性のある書換え表示付き非接触型ＩＣカードを提供することにある。」
　
（お）「【００１２】
　【作用】本発明では、非接触型ＩＣカードに書換え可能なリライト層を層設しており、カード使用時にカード内のＩＣ部の情報を書換えると共に、表示部分を逐次書換えることができるので、繰り返して使用することが可能となる。また、ＩＣメモリ部分とリライト層の書換えを同一機で行う場合には、それぞれ対応関係のあるデータを誤りなく書換えることができる。さらに、リライト層はカード上の略中央部分の凹部に埋設しているため、書換え装置に挿入する際には、カードの挿入方向を気にする必要がない。」
　
（か）「【００１３】
　【実施例】以下、図面に基づいてこの発明の実施例について詳細に説明する。図１は、本発明である書換え表示機能付き非接触型ＩＣカードの正面図であり、図２は、図１のＡ−Ａ断面図である。図において１はカード基体、２は書換え可能なリライト層、３は非接触型ＩＣモジュール、４はカードの位置決めと表裏を識別するための穴である。
　【００１４】図１において、カード基体１は非接触ＩＣモジュール３を内蔵し、外部のデータ処理装置との情報交換が非接触で行える。カード本体の寸法は例えば、幅５４．１×奥行８５．７×厚さ３．２ｍｍである。書換え可能なリライト層２はカード本体の表面の略中央部分に直接塗布するか、あるいは貼り付ければよく、好ましくは、カード基体表面の中央に凹部を設け、リライト層を埋設させるのが良い。実施例では、幅２５ｍｍ、厚さ０．４ｍｍのリライト層をカード基体の中央（カード基体の端３０．４ｍｍの位置）に設けている。カード基体には穴が２か所設けられており、データ書換えの際、外部のデータ処理装置内のセンサーでこの穴を見ることにより、カードの表裏と位置決めを行うことができる。」
　
（き）「【００２９】
【発明の効果】以上の説明のように、本発明によれば、カード基体内にＩＣモジュールを内蔵した非接触型ＩＣカードの表面に書換え可能なリライト層を層設したことにより、ＩＣ部の情報を書換えると共に、その情報をリライト部に表示することができるので、非接触型ＩＣカードを繰り返し使用することができる。」
　
　
　上記（あ）、（い）の記載、及び、
　上記（う）の「カードの利用日時や金額等がその都度書き込めるようになっているプリペイドカード等が汎用されている。このカードの利用日時や金額等がその都度書き込めるプリペイドカード等は、カードの使用者によって残高の確認とうが何時でも行い得るという利便性を有する。これらのカードでは、一部の情報が目視可能な場合も存在するが、多くの情報はカードに設けられた磁気記録層またはＩＣ等に記録されている。」の記載からすると、
　引用文献１には、残高等の利用に関する情報を管理する管理システムに用いる非接触型ＩＣカードが記載されている。
　
　上記（か）の「図１において、カード基体１は非接触ＩＣモジュール３を内蔵し、外部のデータ処理装置との情報交換が非接触で行える。　・・・・・（中略）・・・・・　カード基体には穴が２か所設けられており、データ書換えの際、外部のデータ処理装置内のセンサーでこの穴を見ることにより、カードの表裏と位置決めを行うことができる。」の記載と
　上記（き）の「カード基体内にＩＣモジュールを内蔵した非接触型ＩＣカードの表面に書換え可能なリライト層を層設したことにより、ＩＣ部の情報を書換えると共に、その情報をリライト部に表示することができる」の記載、および図１、図２を参酌すると、
　引用文献１には、外部のデータ処理装置とのデータ交換が非接触で行えるＩＣモジュールと、ＩＣモジュールに記録されているデータを書換えると共にそのデータをリライト部に表示するリライト層と、をカード基体に備えると共に、該カード基体に設けた穴であって、データ処理装置内のセンサーで当該穴を見ることによってカードの表裏と位置決めを可能とする穴（以下、「センサー穴」という）を備える非接触型ＩＣカードが記載されている。
　
　上記（う）の「カードの利用日時や金額等がその都度書き込めるようになっているプリペイドカード等が汎用されている。このカードの利用日時や金額等がその都度書き込めるプリペイドカード等は、カードの使用者によって残高の確認とうが何時でも行い得るという利便性を有する。　・・・・・（中略）・・・・・　、多くの情報はカードに設けられた磁気記録層またはＩＣ等に記録されている。」の記載と、
　上記（お）の「非接触型ＩＣカードに書換え可能なリライト層を層設しており、カード使用時にカード内のＩＣ部の情報を書換えると共に、表示部分を逐次書換えることができるので、繰り返して使用することが可能となる。また、ＩＣメモリ部分とリライト層の書換えを同一機で行う場合には、それぞれ対応関係のあるデータを誤りなく書換えることができる。」の記載と、
　上記（か）の「カード基体１は非接触ＩＣモジュール３を内蔵し、外部のデータ処理装置との情報交換が非接触で行える。」の記載からすると、
　引用文献１には、カードの使用時にＩＣモジュールに記録されている残高等の記憶データを書換えると共に、当該記憶データに対応させて、前記リライト層に表示されている残高等のデータを逐次書換えて表示する非接触型ＩＣカードが記載されている。
　また、引用文献１には、外部のデータ処理装置であって、カード使用時にＩＣモジュールに記録されている残高等の記憶データを書換えると共に、当該記憶データに対応させて、前記リライト層に表示されている残高等のデータを逐次書換えて表示することができる外部のデータ処理装置が記載されている。
　
　そして、上記（か）の「カード基体には穴が２か所設けられており、データ書換えの際、外部のデータ処理装置内のセンサーでこの穴を見ることにより、カードの表裏と位置決めを行うことができる。」の記載からすると、
　引用文献１には、外部のデータ処理装置に対して、前記カード基体が挿入された場合に、外部のデータ処理装置内のセンサーでカード基体のセンサー穴を見ることにより、カードの表裏と位置決めが行われた状態で、データ書き換えが実行されると解される。
　
　以上より、上記（あ）〜（き）の記載、及び、図１、図２を参酌すると、引用文献１には、次の発明（以下、「引用発明」という。）が記載されているものと認められる。  
　
　残高等の利用に関する情報を管理する管理システムに用いる非接触型ＩＣカードにおいて、
　外部のデータ処理装置とのデータ交換が非接触で行えるＩＣモジュールと、ＩＣモジュールに記録されているデータを書換えると共にそのデータをリライト部に表示するリライト層と、をカード基体に備えると共に、該カード基体に設けた穴であって、データ処理装置内のセンサーで当該穴を見ることによってカードの表裏と位置決めを可能とするセンサー穴を備え、
　前記カード基体は、カード使用時にＩＣモジュールに記録されている残高等の記憶データを書換えると共に、当該記憶データに対応させて、前記リライト層に表示されている残高等のデータを逐次書換えて表示することができる外部のデータ処理装置に対して、挿入された場合に、前記外部のデータ処理装置内のセンサーでカード基体のセンサー穴を見ることにより、カードの表裏と位置決めが行われた状態で、前記ＩＣモジュールに記録されている残高等の記憶データを書換えると共に、当該記憶データに対応させて、前記リライト層に表示されている残高等のデータを逐次書換えて表示する非接触型ＩＣカード。
　
４．対比  
　ここで、本願発明と引用発明とを対比する。 
　
　引用発明の「非接触型ＩＣカード」、「外部のデータ処理装置」、「（ＩＣモジュールに記録されているデータをリライト部に表示する）リライト層」、「カード基体」及び「カードの表裏と位置決めを可能とするセンサー穴」はそれぞれ、
　本願発明の「非接触ＩＣカード」、「管理システムに備えられたカード処理装置」、「目視データの表示が可能な表示部」、「カード本体」及び「カード本体の少なくとも表面および裏面を判別可能にする方向判別用マーク部」に相当する。
　
　また、引用発明の「データ交換が非接触で行えるＩＣモジュール」は「データ交換が非接触で行える」ものであるとともに、「カード使用時にＩＣモジュールに記録されている残高等の記憶データを書換える」ものであって、ＩＣモジュールに記録されている残高等の記憶データの書換えは、ＩＣモジュールに記録されている残高等の記憶データの記憶および更新を行うものであることは明らかであるから、本願発明の「非接触で交信してデータの記憶および更新を行う通信記憶手段」に相当する。
　
　また、引用発明の外部のデータ処理装置は、「カード使用時にＩＣモジュールに記録されている残高等の記憶データを書換えると共に、当該記憶データに対応させて、前記リライト層に表示されている残高等のデータを逐次書換えて表示することができる」構成を備えるものであることからすると、前記カードの初期状態時に残高を記録する場合は、ＩＣモジュールに対して、残高の書き込み処理を行った後に、書き込んだ前記残高をリライト層に表示することは当業者にとって自明であり、そして、カード使用時にＩＣモジュールの残高の情報を書換える場合は、ＩＣモジュールに対して、記録されている現在残高の読み取り処理をし、使用した額を引いた額を新たな残高として書き込み処理を行った後に、前記新たな残高をリライト層に書換えて表示することも当業者にとって自明である。
　よって、引用発明の外部のデータ処理装置は、カード使用時にＩＣモジュールに対して、カードに記録されている残高等の情報を、読み取り処理及び書き込み処理、又は書き込み処理を行った後に、書き込んだ残高等の情報をリライト層に逐次書換えて表示することが可能な構成を備えるものである。
　したがって、引用発明の外部のデータ処理装置の「カード使用時にＩＣモジュールに記録されている残高等の記憶データを書換えると共に、当該記憶データに対応させて、前記リライト層に表示されている残高等のデータを逐次書換えて表示することができる」構成は、本願発明のカード処理装置の「前記通信記憶手段に対する記憶データの読み取り処理及び書き込み処理の少なくとも一方と前記表示部に対する目視データの表示処理とを連続して行うことが可能な」構成に相当する。
　
　そして、引用発明の「外部のデータ処理装置」は、カード基体が挿入された際に、挿入された場合に、前記外部のデータ処理装置内のセンサーでカード基体のセンサー穴を見ることにより、カードの表裏と位置決めが行われた状態で、前記ＩＣモジュールに記録されている残高等の記憶データを書換えると共に、当該記憶データに対応させて、前記リライト層に表示されている残高等のデータを逐次書換えて表示することからすると、
　引用発明の「前記外部のデータ処理装置内のセンサーでカード基体のセンサー穴を見ることにより、カードの表裏と位置決めが行われた状態で挿入される」ことが、リライト層の位置とデータ処理装置の構造との相対的な位置関係によって決定される正規の状態で挿入されることを意味することは当業者にとって自明である。
　したがって、引用発明の「外部のデータ処理装置に対して、挿入された場合に、前記外部のデータ処理装置内のセンサーでカード基体のセンサー穴を見ることにより、カードの表裏と位置決めが行われた状態で、」は、本願発明の「カード処理装置に対して、前記表示部への目視データの表示処理を正しく実行することが可能であって前記表示部の位置と前記カード処理装置の構造との相対的な関係によって決定される正規の状態で挿入された場合に、」に相当する。
　
　そして、引用発明の「前記ＩＣモジュールに記録されている残高等の記憶データを書換えると共に、当該記憶データに対応させて、前記リライト層に表示されている残高等のデータを逐次書換えて表示する」構成と、
　本願発明の「前記通信記憶手段の記憶データの読み取り処理及び書き込み処理の少なくとも一方が実行された後、当該記憶データに対応させて、前記表示部に表示されている目視データのうちの一部のみを可変データとして書き換える処理が実行される」構成とは、ともに、通信記憶手段の記憶データの読み取り処理及び書き込み処理の少なくとも一方が実行された後、当該記憶データに対応させて、表示部に表示されている目視データを可変データとして書き換える処理が実行される点で共通する。
　
　よって、本願発明と引用発明とは、以下の点で一致し、また、相違している。
　
（一致点）
　利用に関する情報を管理する管理システムに用いる非接触ＩＣカードにおいて、
　前記管理システムに備えられたカード処理装置と非接触で交信してデータの記憶および更新を行う通信記憶手段と、目視データの表示が可能な表示部と、をカード本体に備えると共に、該カード本体の少なくとも表面および裏面を判別可能にする方向判別用マーク部を備えて構成され、さらに、
　前記カード本体は、前記通信記憶手段に対する記憶データの読み取り処理及び書き込み処理の少なくとも一方と表示部に対する目視データの表示処理とを連続して行うことが可能なカード処理装置に対して、前記表示部への目視データの表示処理を正しく実行することが可能であって前記表示部の位置と前記カード処理装置の構造との相対的な関係によって決定される正規の状態で挿入された場合に、前記通信記憶手段の記憶データの読み取り処理及び書き込み処理の少なくとも一方が実行された後、当該記憶データに対応させて、前記表示部に表示されている目視データを可変データとして書き換える処理が実行されることを特徴とする非接触ＩＣカード。
　
　
（相違点）
　カード本体がカード処理装置に対して正規の状態で挿入された場合に、表示部に表示されている目視データを可変データとして書き換える処理として、
　本願発明は「記憶データに対応させて、前記表示部に表示されている目視データのうちの一部のみを可変データとして書き換える処理が実行される」のに対し、
　引用発明は「記憶データに対応させて、前記リライト層に表示されている残高等のデータを逐次書換えて表示する」ものであって、前記リライト層に表示されている目視データを可変データとして書き換えるものであるが、目視データのうちの
一部のみを
　
５．判断
　上記相違点について検討する。
　当審による平成２０年４月１７日付けの拒絶理由に引用された刊行物である、特開平９−８６０８０号公報に、
「【０００８】ここで、カード基材の一方の面側に設置される複数の印字エリアとしては、上下に２分割、左右に２分割、あるいは上下および左右に３分割以上等のように、種々の情報の性質に応じて任意に分割されて良く、」と記載され、
「【００２４】　・・・（中略）・・・　カード基材２０の一方の面２０ａ側に設定された複数の印字エリア、例えば第１印字エリア３０ａと第２印字エリア３０ｂとにそれぞれ独立して種々の情報を表示あるいはこの情報を消去することが可能である。」と記載されているように、
　カード基材の表示部に表示される複数の目視データを複数の表示エリアに表示し、該表示エリアの目視データをそれぞれ独立して表示あるいは消去する構成は当業者にとって周知の技術である。
　そして、ＩＣカードにおいて、残高以外に複数の目視データ（例えば、使用者識別データ、発行日、有効期間等）を表示することは当業者にとって周知の事項であることを勘案すれば、
　引用発明の非接触型ＩＣカードにおいて、リライト層の表示エリアに表示される複数の目視データをそれぞれ複数の表示エリアに表示し、該表示エリアの目視データをそれぞれ独立して表示あるいは消去するようにすることで、本願発明のように、記憶データに対応させて、前記複数の表示エリアのうちの１つの表示エリアに表示されている残高データを書き換える（すなわち、目視データのうちの一部を可変データとして書き換える）処理が実行されるようにすることは、当業者であれば、適宜なし得たことである。
　よって、相違点は格別なものではない。
　
　上記で検討したごとく、相違点は格別のものではなく、そして、本願発明の構成によってもたらされる効果も、当業者であれば予測可能なものに過ぎず格別なものとは認められない。 
　
　
６．むすび 
　以上のとおり、本願発明は、上記引用発明及び上記周知技術に基づいて、当業者が容易に発明をすることができたものであるから、特許法第２９条第２項の規定により特許を受けることができない。 
　よって、結論のとおり審決する。